(57)【要約】【課題】塗装用ロールの全長にかかわらず、回転時にブレが生じにくく、塗装用ロールのスムーズな回転を実現することのできるペイントローラの提供を図る。【解決手段】  塗装用ロール５と、この塗装用ロール５を回動可能に支持するためのペイントローラ用の支持軸１と、軸受け用部材とを備える。軸受け用部材は、塗装用ロール５に固定される筒部材３と、支持軸１を筒部材３に対して軸方向に移動不能に固定するための固定体４とを備る。筒部材３の挿通孔４１の内周壁には、上記の支持軸１に接触して軸受けとなる凸部３２，３３が設けられ、この軸受け用の凸部３２，３３以外の筒部材３の挿通孔３１の内周壁は、上記の支持軸１に接触しない。これにより、塗装用ロールのスムーズな回転を実現する。【選択図】図５
2011088150.tif 000002
【特許請求の範囲】
【請求項１】
塗装用ロール(5)と、この塗装用ロール(5)を回動可能に支持するためのペイントローラ用の支持軸(1)と、軸受け用部材とを備え、
軸受け用部材は、外周に塗装用ロール(5)を取り付けることができ、且つ、中心部に挿通孔(31)を有する筒部材(3)と、支持軸(1)を筒部材(3)に対して軸方向に移動不能とするための固定体(4)とを備え、
筒部材(3)の挿通孔(31)と固定体(4)に上記の支持軸(1)が挿通され、筒部材(3)は上記の支持軸(1)に回動自在とされ、固定体(4)は上記の支持軸(1)に固定されたペイントローラにおいて、
筒部材(3)の挿通孔(31)の内周壁に、上記の支持軸(1)に接触して軸受けとなる凸部(32,33)が設けられ、
この軸受け用の凸部(32,33)以外の筒部材(3)の挿通孔(31)の内周壁が、上記の支持軸(1)に接触しないようにしたことを特徴とするペイントローラ。
【請求項２】
上記の軸受け用の凸部(32,33)が、筒部材(3)の挿通孔(31)の両端に１か所ずつ設けられたものであり、この２か所の軸受け用の凸部(32,33)の間に、固定体(4)が配位されたものであり、この固定体(4)が中心部に支持軸(1)を受容して固定する固定孔(41)を有する筒状部材から構成されたことを特徴とする請求項１記載のペイントローラ。
【請求項３】
筒部材(3)が複数の部材に分割されて別々に成形されたものであり、これらの複数の部材が固定体(4)の受容後に一体に結合されたものであることを特徴とする請求項１又は２記載のペイントローラ。
【請求項４】
塗装用ロール(5)の内周面と筒部材(3)の外周部との少なくとも何れか一方が熱溶融性の合成樹脂により構成され、塗装用ロール(5)と筒部材(3)とが熱溶着により固定されたものであることを特徴とする請求項１〜３の何れかに記載のペイントローラ。
【請求項５】
塗装用ロール(5)の一端に上記の軸受け用部材が装着され、塗装用ロール(5)の他端が熱溶融性のシートによる溶着により閉ざされたものであることを特徴とする請求項１〜４の何れかに記載のペイントローラ。
【発明の詳細な説明】
【技術分野】
【０００１】
本願発明は、建造物の壁面等の塗装に際し使用するペイントローラに関し、より詳しくはペイントローラの塗装用ロールを回動自在に支持する支持軸の軸受構造に改良を加えたペイントローラに関するものである。
【背景技術】
【０００２】
従来より、塗装用ロールをペイントローラ用の支持軸に回動可能に支持させるための構造として、種々の構造が提案されている。
その一つのタイプとして、特許文献１や２に記載のものが知られている。このタイプは、図９に示すように、塗装用ロールａをペイントローラ用の支持軸ｄに回動可能に支持させるための軸受け用部材として、外周に塗装用ロールａを取り付けるための筒部材ｂと、支持軸ｄを受容して固定するための固定体ｃとを用いるものである。この固定体ｃは筒部材ｂ内に回動可能に装着され、固定体ｃを内部に装着した筒部材ｂが、塗装用ロールａの一端から挿入され固定される。そして、支持軸ｄが、筒部材ｂ及び固定体ｃ内部に挿入され、固定体ｃに固定されることによって取り付けが完了する。
【０００３】
このタイプのペイントローラは、固定部材に支持軸ｄを挿入するだけで簡単に固定でき、しかも、支持軸ｄに固定される固定部材が筒部材ｂ内で回動することによって、良好な軸受け構造が実現する。ところが、塗装用ロールａの全長が長くなると、その自重が先端にかかり、回転時にブレが生じやすく、しかもこのブレのために支持軸ｄが筒部材ｂの内壁に接触し、その結果として回転にブレーキがかかり、スムーズな回転が阻害されるおそれが生ずる。
【０００４】
【特許文献１】特許第２７７２６２６号公報
【特許文献２】特開平７−１２４５１５号公報
【発明の開示】
【発明が解決しようとする課題】
【０００５】
本願発明の目的は、塗装用ロールの全長にかかわらず、回転時にブレが生じにくく、塗装用ロールのスムーズな回転を実現することのできるペイントローラを提供することにある。
【課題を解決するための手段】
【０００６】
本願発明の第１の発明は、塗装用ロール５と、この塗装用ロール５を回動可能に支持するためのペイントローラ用の支持軸１と、軸受け用部材とを備え、軸受け用部材は、外周に塗装用ロール５を取り付けることができ、且つ、中心部に挿通孔３１を有する筒部材３と、支持軸１を筒部材３に対して軸方向に移動不能に固定するための固定体４とを備え、筒部材３の挿通孔３１の一部分に固定体４を回動可能に受容する受容部３４が設けられ、筒部材３の挿通孔３１と固定体４に上記の支持軸１が挿通され、筒部材３は上記の支持軸１に回動自在とされ、固定体４は上記の支持軸１に固定されたペイントローラにおいて、筒部材３の挿通孔３１の内周壁に、上記の支持軸１に接触して軸受けとなる凸部３２，３３が設けられ、この軸受け用の凸部３２，３３以外の筒部材３の挿通孔３１の内周壁が、上記の支持軸１に接触しないようにしたことを特徴とするペイントローラを提供することにより、上記の課題を解決する。
本願の第２の発明は、第１の発明に係るペイントローラにあって、上記の軸受け用の凸部３２，３３が、筒部材３の挿通孔３１の両端に１か所ずつ設けられたものであり、この２か所の軸受け用の凸部３２，３３の間に、固定体４が配位されたものであり、この固定体４が中心部に支持軸１を受容して固定する固定孔４１を有する筒状部材から構成されたことを特徴とするものを提供する。
本願の第３の発明は、第１又は第２の発明に係るペイントローラにあって、筒部材３が複数の部材に分割されて別々に成形されたものであり、これらの複数の部材が固定体４の受容後に一体に結合されたものであることを特徴とするものを提供する。
本願の第４の発明は、第１乃至第３の何れかの発明に係るペイントローラにあって、塗装用ロール５の内周面と筒部材３の外周部との少なくとも何れか一方が熱溶融性の合成樹脂により構成され、塗装用ロール５と筒部材３とが熱溶着により固定されたものであることを特徴とするものを提供する。
本願の第５の発明は、第１乃至第４の何れかの発明に係るペイントローラにあて、塗装用ロール５の一端に上記の軸受け用部材が装着され、塗装用ロール５の他端が熱溶融性のシートによる溶着により閉ざされたものであることを特徴とするものを提供する。
【発明の効果】
【０００７】
本願の第１の発明に係るペイントローラにあっては、筒部材の挿通孔の内周壁に、支持軸に接触して軸受けとなる凸部が設けられているため、塗装用ロールの回転のブレが規制され、円滑な回転が実現するものである。しかも、この軸受け用の凸部以外の筒部材の挿通孔の内周壁が、上記の支持軸に接触しないようにしたものであるため、必要以上に回転抵抗が増加することもない。
本願の第２の発明に係るペイントローラにあっては、上記の軸受け用の凸部が、筒部材の挿通孔の両端に１か所ずつ設けられたものであり、この２か所の軸受け用の凸部の間に、固定体が配位されたものであるため、筒部材の回転のブレは両端で正確に規制され、より円滑な回転が実現する。
本願の第３の発明に係るペイントローラにあっては、筒部材が複数の部材に分割されて別々に成形されたものであり、これらの複数の部材が固定体の受容後に一体に結合されたものであるため、軸受け用の凸部を設けた場合、特に、２か所以上に設けた場合にあっても、合成樹脂成形並びに成形後の型抜き作業を容易に行うことができ、しかも、固定体の組み込み作業も能率的に行うことができるものである。
本願の第４の発明に係るペイントローラにあっては、塗装用ロールと筒部材とが熱溶着により固定されたものであるため、ペイントローラの耐溶剤性を向上させることができたものである。
本願の第５の発明に係るペイントローラにあっては、塗装用ロールの他端が熱溶融性のシートによる溶着により閉ざされたものであるため、ペイントローラの耐溶剤性を向上させることができたものである。
【発明を実施するための最良の形態】
【０００８】
以下、図面に基づき本願発明の実施の形態を説明する。
図１は本願発明の一つの実施の形態に係るペイントローラの分解斜視図であり、図２は同ペイントローラの軸受け用部材の断面図であり、図３は同ペイントローラの軸受け用部材の分解断面図である。
【０００９】
このペイントローラは、塗装用ロール５と、この塗装用ロール５を回動可能に支持するためのペイントローラ用の支持軸１と、軸受け用部材とを備える。
【００１０】
支持軸１は金属製等の剛性を有する素材から構成され、この支持軸１の基端側には合成樹脂製等の把手２が設けられ、支持軸１の先端側には塗装用ロール５が装着されている。この支持軸１の形状は自由に変更できるが、この例では、把手２から直線的に延長され、その先端側で略直角に折曲されて、その先端部分に軸受け用部材及び塗装用ロール５が取り付けられる。
軸受け用部材は、合成樹脂製の筒部材３とその内部に組み込まれる合成樹脂製の固定体４とから構成される。
【００１１】
まず固定体４は、合成樹脂製の筒状の部材からなり、図３に示すように、その長手方向の中心部にペイントローラ用の支持軸１を挿通して固定するための固定孔４１が設けられており、その外周部の長手方向に長条孔４２を複数設けている。これら長条孔４２同士の間の連設部４３は、固定体４の固定孔４１の中心部に向かって湾曲して形成され、固定孔４１の内表面がその中心部に向かって膨出している。このように径内方向に膨出した連設部４３の内径は、支持軸１の外径よりも小さく形成され、支持軸１が固定孔４１に挿入されると、連設部４３が弾性変形し、その弾性力によって固定体４全体がペイントローラ用の支持軸１に固定される。
【００１２】
次に、筒部材３は、この例では、基端側部材３ａと先端側部材３ｂと２つの部材に、軸方向において分割されている。より詳しくは、基端側部材３ａの先端には筒状の嵌入部分３０ａが設けられ、先端側部材３ｂの基端には筒状の被嵌入部分３０ｂが設けられ、嵌入部分３０ａが被嵌入部分３０ｂに嵌合させられることにより、両部材３ａ，３ｂが結合され一体化される。この嵌合を確実になすために、嵌入部分３０ａと被嵌入部分３０ｂとには、互いに係合する凹凸を形成しておくことが望ましい。両部材３ａ，３ｂは、嵌合のみで一体化されるが、必要に応じて、熱溶着等によって固定しておいてもよい。尚、以下の説明では、原則として両部材３ａ，３ｂが結合された形態で説明する場合には、筒部材３として説明し、分解状態の説明等必要に応じて、基端側部材３ａと先端側部材３ｂとを区別して説明する。
【００１３】
筒部材３は、その外周に塗装用ロール５が取り付けられる筒状体であり、その半径方向の中心部には、支持軸１が挿入される挿通孔３１が一端（基端）から他端（先端）にかけて設けられている。この筒部材３の挿通孔３１内の基端側には基端側凸部３２が設けられ、先端側には先端側凸部３３が設けられている。両凸部３２，３３のそれぞれは、その周方向に連続して環状に形成されたもので、その内径は、挿通孔３１の他の部分における内径より小さく形成されている。両凸部３２，３３は、支持軸１に回動可能に常に接触するように、その内径が設定されたものであるが、両凸部３２，３３の内径と支持軸１の外径とは、スムーズな回転が実現するように、適当なクリアランスを設けておくことが望ましい。このように、支持軸１は、筒部材３の挿通孔３１の内周面に対しては、両凸部３２，３３に対してのみ接触し、他の部分には接触しない。
この例では、基端側凸部３２は筒部材３の基端側部材３ａに設けられ、先端側凸部３３は先端側部材３ｂに設けられている。
【００１４】
筒部材３の挿通孔３１内には、基端側凸部３２と先端側凸部３３との間に、固定体４を回動可能に受容する受容部３４が設けられている。この受容部３４は、固定体４を回動可能に受容すると共に、軸方向に移動不能に保持するものであり、軸方向に移動不能とするために、受容部３４より内径の小さな当たり部分３５，３６を、受容部３４の基端側と先端側とに設けている。尚、当たり部分は固定体４を軸方向に移動不能に規制するものであればよく、例えば、当たり部分を１か所のみに設けて、固定体４に当たり部分に対応する凹溝を設けるなどしてもよい。受容部３４の内径は、挿通孔３１の他の部分よりも大きく設定されているが、前述の基端側凸部３２及び先端側凸部３３を除いて、他の部分よりも大きく設定する必要はない。
【００１５】
この例では、受容部３４と一方の当たり部分３５とを基端側部材３ａに設け、他方の当たり部分３６を先端側部材３ｂに設けている。そして、前述の固定体４を基端側部材３ａの先端側から受容部３４内に挿入し、基端側部材３ａの先端の嵌入部分３０ａを、先端側部材３ｂの被嵌入部分３０ｂに嵌入する。これにより、固定体４は、当たり部分３５，３６に挟まれることにより軸方向に移動不能の状態で、且つ回転可能に、筒部材３に組み込まれる。
【００１６】
この固定体４を組み込んだ筒部材３は、塗装用ロール５の筒内に挿入され固定される。筒部材３は外周形状は、この挿入固定が行えるという条件を満たす範囲で自由に設計することができるが、この例では、塗装用ロール５の筒内への挿入を容易になすために、筒部材３の先端部３７の外形を、先端に向かうに従って、その外径が徐々に小さくなるテーパ状にしている。また、塗装用ロール５への固定を確実になすために、筒部材３の外周には凹凸が形成されている。詳しくは、軸方向に伸びる鋸刃状の突条３８が、複数本、周方向に間隔をおいて形成され、さらに、これらの突条３８の間を結ぶように、リング状のリブ３９が軸方向に間隔をおいて形成されている。さらに、筒部材３の基端側には、径外方向に突出するフランジ４０が形成され、このフランジ４０が塗装用ロール５の端部に当接する。
【００１７】
塗装用ロール５は、図４に示すように、円筒形状を有する筒体５１の外周面の全体を刷毛部材５２にて被覆し熱溶着等によって接着し、一体化したものからなる。筒体５１は、合成樹脂製または、紙製のものを使用することができる。紙製のものとしては、紙材を複数回巻回したもの、スパイラル状に巻回したもの、更には、これらに合成樹脂を含浸したものによって円筒形状に固く形成したものを使用することができる。刷毛部材５２も、パイル生地、合成繊維製織物地、スポンジ、毛足の長い皮革等各種のものを使用することができる。
この塗装用ロール５に前記筒部材３が嵌挿して取り付けられる。筒部材３の基端側端部にはフランジ４０が形成されているので、このフランジ４０に当接するまで、塗装用ロール５を嵌め込む。
【００１８】
塗装用ロール５と筒部材３との接合は、接着剤によって接着固定してもよいが接着を行わずに、嵌合のみによって固定してもよい。その場合、凹凸を設けたり、強制嵌合等によって、塗装用ロール５と筒部材３との少なくとも何れか一方を弾性変形させつつ、嵌合することによって、強固な固定が得られる。
また、耐溶剤性を向上させつつ、両者３，５の固定を確実になすためには、熱溶着によって、両者３，５を接着する。筒部材３の少なくとも外周面（この例では全体）と、塗装用ロール５の筒体５１の内周面（この例では全体）との何れか一方又は双方を、熱溶融性の合成樹脂によって形成する。そして、筒部材３の外周面と、塗装用ロール５の筒体５１の内周面との何れか一方又は双方を加熱し、熱溶融性の合成樹脂を溶融させた状態で、筒部材３を筒体５１内に挿入し、両者３，５を熱溶着させる。
【００１９】
両者３，５の固定は、両者の接合面のそれぞれの対応する位置に突起やこれに適合する凹部を設けることによって結合強度を増すこともできる。また、凹凸の係合によって、塗装用ロール５を筒部材３に着脱可能に結合固定する手段を採用することもできる。
また、塗装用ロール５を構成する筒体５１の形状は、図示したように、先端側を閉塞して有底のものとしてもよいが、単なる両端の開口した筒形状としてもよい。また、両端の開口した筒形状の筒体を使用して、先端部にキャップを嵌合して、閉塞状態に形成することも可能である。
【００２０】
特に、図６に示すように、合成樹脂製のフィルムやシート５３を、筒体５１の開口端部に熱溶着することにより、同端部を閉塞することによって、比較的簡単な構造によって、能率的に、耐溶剤性の高いペイントローラを製造することもできる。この場合、合成樹脂製のフィルムやシート５３と筒体５１との少なくとも何れか一方を熱溶着性の樹脂とし、その少なくとも何れか一方を、熱源により加熱したり、或いは、高周波溶着や超音波溶着等によって、溶着する。合成樹脂製のフィルムやシート５３は、溶着前に、筒体５１の端部と対応する形状に切断しておいてもよく、溶着と同時に、或いは、溶着後に切断してもよい。
【００２１】
組み立て方法は、前述のように、固定体４を組み入れた筒部材３を、塗装用ロール５に嵌挿して固定する。その後、ペイントローラ用の支持軸１の先端を筒部材３の挿通孔３１の基端から挿入していく。挿入を続けることにより、図５に示すように、固定体４の固定孔４１内にペイントローラ用の支持軸１の先端が挿通し、更に筒部材３の挿通孔３１の先端まで貫通させる。固定体４は、ペイントローラ用支持軸１に軸方向に移動不能とされ、筒部材３に回動可能に保持されており、また、筒部材３は、ペイントローラ用支持軸１に回動自在となっているため、固定体４の存在によって、通常の使用状態においては、ペイントローラ用支持軸１から塗装用ロール５は抜け落ちることなく回動可能となる。ただし、塗装用ロール５を交換する際は、これらに手の力を加えることによって、ペイントローラ用支持軸１から抜き取ることが可能である。
【００２２】
ここで本願発明のペイントローラにあっては、図５に示すように、この筒部材３の挿通孔３１内の基端側には基端側凸部３２が設けられ、先端側には先端側凸部３３が設けられており、両凸部３２，３３の内周面は、回転に必要なクリアランスをもって支持軸１に接触する。その結果、塗装用ロール５に横ブレが生じようとしても、筒部材３の両端の凸部３２，３３による規制が働き、常に円滑な回転が実現する。しかも、支持軸１は、筒部材３の挿通孔３１の内周面に対しては、幅の細い（望ましくは１０mm以下、より望ましくは５mm以下とし、この例では３mmとしている）両凸部３２，３３に対してのみ接触し、他の部分には接触しないため、必要以上に回転抵抗が増加することもない。尚、筒部材３の両端の凸部３２，３３の形状は、断面円弧状にする等して、支持軸１への接触面積をより小さくすることも望ましい。
他方、固定体４の外周面は、受容部３４の内周面と接触させずに、軸方向への位置決めとしてのみ機能するものとすることが、横ブレ防止や回転抵抗の減少の点から望ましい。
【００２３】
以上のように、筒部材３の挿通孔３１内に設ける凸部３２，３３は、２箇所にのみ設けることが最も望ましいが、その数や個数は、塗装用ロール並びに筒部材の長さや径や、横ブレの生じる程度によって、種々変更して実施することができる。また、固定体４についても、受容部３４の内周面と接触させないことが最も望ましいが、場合によっては接触するものとして実施することもできる。
【００２４】
このように、筒部材３の基端と先端に凸部３２，３３を設けると、筒部材３を一体に成形することが困難となるが、軸方向に２つ以上に分割して成形し、固定体４を組み込んだ後、結合することによって、成形及び組立作業の良好性をも実現することができる。勿論、筒部材３の結合、完成後に固定体４を組み入れるような構造として実施することもできるが、作業能率の点において、上記の実施例の構造採ることが有利である。
【００２５】
尚、軸方向に２つ以上に分割する他、図７に示すように、半径方向に２つの部材３ｃ，３ｄに分割することも可能である。また、分割の方向にかかわらず、分割の個数は、３個以上に分割することも可能である。
さらに、分割の位置は、受容部３４を含んだ位置として、受容部３４を複数の部材に分割することによって、固定体４を受容部３４へ組み込む作業が容易となるが、受容部３４全体を１つの部材にのみ形成し、他の部材は受容部３４とは無関係に形成することもできる。
【００２６】
固定体４の形状は、基本的に自由であり、長条孔４２を設けなくとも単なる筒状態として実施することが可能である。また、固定体４の先端から基端にかけて１本のスリットを形成した断面Ｃ字状にすることにより、支持軸１挿入時に容易に弾性変形するようにしてもよい。
【００２７】
図８は、固定体４の他の実施の形態を示すもので、固定体４の先端から基端にかけて１本のスリット４４を形成した断面Ｃ字状としたものであり、さらに、その外周には、複数のリブ４５を形成したものである。この固定体４は、固定孔４１内にペイントローラ用の支持軸１の先端が挿通された際、弾性変形して、両者４，１を確実に固定する。この挿入に際して、リブ４５を設けていない場合、筒部材３の挿通孔３１の中心軸と、固定孔４１の中心軸とが大きくずれてしまい、支持軸１の挿入が困難になる場合があるが、この例では、リブ４５を設けることによって、両者の中心軸が大きくずれないようにしたものである。また、固定孔４１の端部、特に、基端側においては、その内径が基端側に向かうに従って徐々に大きくなるテーパ状としているため、両者の中心軸が若干ずれた場合でも、円滑に支持軸１を挿入できる。尚、リブ４５を設けた場合でも、中心軸１の挿通後は、リブ４５の外周が受容部３４の内周壁に接触しないようにしておくことが、塗装用ロール５の円滑な回転の実現には最も望ましい。
【００２８】
さらに、上記の図８に示したように、固定体４の内周面に凹凸４６を形成して、支持軸１との固定の確実性を増すようにしてもよく、また、場合によっては、支持軸１側に凹凸を設けてもよく、両者４，１に凹凸を設けてもよい。またさらに、固定体４は、その直径より全長の方が長いものを図示したが、全長の方が短いものとしてもよく、リング状のものであってもよく、いずれにしても、支持軸１の挿入によって、支持軸１と固定体４とが軸方向に移動不能に固定され、固定体４が受容部３４に受容されて筒部材３に対して軸方向に移動不能となるものであればよい。また、上記の各実施の形態にあっては、筒部材３の挿通孔３１の一部分に、固定体４を回動可能に受容する受容部３４を設けて、固定体４を筒部材３に内蔵させるものを示したが、固定体４を筒部材３に内蔵させるのではなく、例えば、軸方向に第１の筒部材、固定体、第２の筒部材の順に配列すると言うように、複数の筒部材の間に固定体を挟むようにして塗装用ロール５内に配位するものとし実施することもできる。
【図面の簡単な説明】
【００２９】
【図１】本願発明の一つの実施の形態に係るペイントローラの分解斜視図である。
【図２】同ペイントローラの軸受け用部材の半断面図である。
【図３】同ペイントローラの軸受け用部材の分解半断面図である。
【図４】同ペイントローラの塗装用ロール及び軸受け用部材の断面図である。
【図５】同ペイントローラの要部半断面図である。
【図６】他の実施の形態に係るペイントローラの塗装用ロールの断面図である。
【図７】他の実施の形態に係るペイントローラの軸受け用部材の分解断面図である。
【図８】（Ａ）は他の実施の形態に係るペイントローラの固定体の斜視図であり、（Ｂ）は同固定体を用いたペイントローラの軸受け用部材の要部半断面図である。
【図９】従来のペイントローラの一部切欠斜視図である。
【符号の説明】
【００３０】
１      支持軸
５      塗装用ロール
３      筒部材
４      固定体
３１    挿通孔
３２    軸受けとなる凸部
３３    軸受けとなる凸部
３４    受容部
４１    固定孔
【図１】
2011088150.tif 000003
【図２】
2011088150.tif 000004
【図３】
2011088150.tif 000005
【図４】
2011088150.tif 000006
【図５】
2011088150.tif 000007
【図６】
2011088150.tif 000008
【図７】
2011088150.tif 000009
【図８】
2011088150.tif 000010
【図９】
2011088150.tif 000011